(57)【要約】【課題】視野角制御パネルのダミーパターンを正確且つ容易に検査する。【解決手段】表示装置１の製造方法は、表示パネルと視野角制御パネルとを積層して非検査パネル１５を形成する第１工程と、非検査パネル１５の表示状態を検査する第２工程と、検査済みの非検査パネル１５から表示装置を製造する第３工程とを有する。第２工程では、非検査パネル１５をステージ４０に配置すると共に、非検査パネル１５の視野角制御パネルと検査員との間に光学フィルタ４４を介在させることにより、視野角制御パネルの正面方向からダミーパターンの表示状態を検査する。【選択図】図１
2010101969.tif 000002
【特許請求の範囲】
【請求項１】
表示パネルと、該表示パネルに積層された視野角制御パネルとを備え、該視野角制御パネルの正面方向に所定の視野角で上記表示パネルの表示画像が視認される一方、上記所定の視野角の外側において上記視野角制御パネルのダミーパターンが視認されるように構成された表示装置を製造する方法であって、
上記表示パネルと上記視野角制御パネルとを積層して非検査パネルを形成する第１工程と、
上記非検査パネルの表示状態を検査する第２工程と、
検査済みの上記非検査パネルから上記表示装置を製造する第３工程とを有し、
上記第２工程では、上記非検査パネルをステージに配置すると共に、上記非検査パネルの視野角制御パネルと検査員との間に光学フィルタを介在させることにより、上記視野角制御パネルの正面方向から上記ダミーパターンの表示状態を検査する
ことを特徴とする表示装置の製造方法。
【請求項２】
請求項１に記載された表示装置の製造方法において、
上記光学フィルタは、複数のプリズム部を有している
ことを特徴とする表示装置の製造方法。
【請求項３】
請求項１に記載された表示装置の製造方法において、
上記表示パネルは、液晶表示パネルである
ことを特徴とする表示装置の製造方法。
【請求項４】
請求項１に記載された表示装置の製造方法において、
上記視野角制御パネルは、液晶表示素子により構成されている
ことを特徴とする表示装置の製造方法。
【請求項５】
表示パネルと、該表示パネルに積層された視野角制御パネルとを備え、該視野角制御パネルの正面方向に所定の視野角で上記表示パネルの表示画像が視認される一方、上記所定の視野角の外側において上記視野角制御パネルのダミーパターンが視認されるように構成された表示装置を検査する装置であって、
互いに積層された上記表示パネル及び上記視野角制御パネルを有する非検査パネルが配置されるステージと、
上記ステージに配置された非検査パネルに検査信号を供給して、該非検査パネルを点灯させる制御回路と、
上記ステージに配置された非検査パネルと、該非検査パネルにおける上記視野角制御パネルの正面方向に配置された検査員との間に介在される光学フィルタとを備え、
上記光学フィルタは、上記ステージ上の上記視野角制御パネルからダミーパターンが視認される角度に出射した光が入射され、該光を上記視野角制御パネルの正面方向に出射させるように構成されている
ことを特徴とする表示装置の検査装置。
【請求項６】
請求項５に記載された表示装置の検査装置において、
上記光学フィルタは、複数のプリズム部を有している
ことを特徴とする表示装置の検査装置。
【請求項７】
請求項５に記載された表示装置の検査装置において、
上記表示パネルは、液晶表示パネルである
ことを特徴とする表示装置の検査装置。
【請求項８】
請求項５に記載された表示装置の検査装置において、
上記視野角制御パネルは、液晶表示素子により構成されている
ことを特徴とする表示装置の検査装置。
【発明の詳細な説明】
【技術分野】
【０００１】
本発明は、視野角制御パネルを有する表示装置の製造方法、及びその表示装置の検査装置に関するものである。
【背景技術】
【０００２】
近年、携帯電話やＰＤＡ等に利用されている表示装置は、その画面サイズが大きくなるに従って広視野角化が要求されている。
【０００３】
ところが、携帯電話やＰＤＡ等に利用されている表示装置には、例えばメール等のようにプライバシー性やセキュリティ性の高い情報が表示される場合が多い。したがって、表示装置の表示が広視野角化されていると、使用者の近くにいる第三者に表示画面の情報が覗き見られてしまう虞がある。そこで、プライバシー等の保護の観点から、視野角を特定の範囲に制御する必要性が高まってきている。
【０００４】
これに対し、例えば特許文献１に開示されているように、表示パネルに視野角制御パネルを積層して表示装置を構成し、表示画面の主視野角方向である正面方向からの視認に対しては、表示画面に表示された情報を良好に視認可能とする一方、左右方向からの視認に対しては、表示画面の全領域においてダミーパターンを表示し、真の表示情報の視認を困難にすることが知られている。
【特許文献１】特開２００７−１４８２７８号公報
【発明の開示】
【発明が解決しようとする課題】
【０００５】
上記表示装置の製造工程では、真の表示画像及びダミーパターンのそれぞれについて、表示不良の有無が検査される。真の表示画像については、ステージ上に設置した表示装置を正面から視認することで検査することが可能である。
【０００６】
ところで、ダミーパターンについては、側面図である図５に示すように、表示装置１００をステージ１０１の表面に沿って設置した状態で、斜め４５°の方向から視認する検査方法が考えられる。また、側面図である図６に示すように、表示装置１００をステージ１０１の表面に対して斜め４５°に傾斜させた状態で固定して、ステージ１０１の正面から視認する検査方法も考えられる。
【０００７】
しかし、上記検査方法では、ダミーパターンを視認できる角度（例えば表示装置の表面に対して４５°の角度）に、検査員の目を正確に位置付けたり、ステージ１０１に対する角度を４５°に正確に固定することは難しく、正確且つ容易に検査することはできないという問題がある。
【０００８】
本発明は、斯かる諸点に鑑みてなされたものであり、その目的とするところは、ダミーパターンを正確且つ容易に検査しようとすることにある。
【課題を解決するための手段】
【０００９】
上記の目的を達成するために、本発明に係る表示装置の製造方法は、表示パネルと、該表示パネルに積層された視野角制御パネルとを備え、該視野角制御パネルの正面方向に所定の視野角で上記表示パネルの表示画像が視認される一方、上記所定の視野角の外側において上記視野角制御パネルのダミーパターンが視認されるように構成された表示装置を製造する方法であって、上記表示パネルと上記視野角制御パネルとを積層して非検査パネルを形成する第１工程と、上記非検査パネルの表示状態を検査する第２工程と、検査済みの上記非検査パネルから上記表示装置を製造する第３工程とを有し、上記第２工程では、上記非検査パネルをステージに配置すると共に、上記非検査パネルの視野角制御パネルと検査員との間に光学フィルタを介在させることにより、上記視野角制御パネルの正面方向から上記ダミーパターンの表示状態を検査する。
【００１０】
上記光学フィルタは、複数のプリズム部を有していることが好ましい。
【００１１】
上記表示パネルは、液晶表示パネルであってもよい。
【００１２】
上記視野角制御パネルは、液晶表示素子により構成されていてもよい。
【００１３】
また、本発明に係る表示装置の検査装置は、表示パネルと、該表示パネルに積層された視野角制御パネルとを備え、該視野角制御パネルの正面方向に所定の視野角で上記表示パネルの表示画像が視認される一方、上記所定の視野角の外側において上記視野角制御パネルのダミーパターンが視認されるように構成された表示装置を検査する装置であって、互いに積層された上記表示パネル及び上記視野角制御パネルを有する非検査パネルが配置されるステージと、上記ステージに配置された非検査パネルに検査信号を供給して、該非検査パネルを点灯させる制御回路と、上記ステージに配置された非検査パネルと、該非検査パネルにおける上記視野角制御パネルの正面方向に配置された検査員との間に介在される光学フィルタとを備え、上記光学フィルタは、上記ステージ上の上記視野角制御パネルからダミーパターンが視認される角度に出射した光が入射され、該光を上記視野角制御パネルの正面方向に出射させるように構成されている。
【００１４】
上記光学フィルタは、複数のプリズム部を有していることが好ましい。
【００１５】
上記表示パネルは、液晶表示パネルであってもよい。
【００１６】
上記視野角制御パネルは、液晶表示素子により構成されていてもよい。
【００１７】
−作用−
次に、本発明の作用について説明する。
【００１８】
上記表示装置を検査する場合には、第１工程において、表示パネルと視野角制御パネルとを積層して非検査パネルを形成する。次に、第２工程において、非検査パネルの表示状態を検査する。この第２工程では、非検査パネルをステージに配置すると共に、非検査パネルの視野角制御パネルと検査員との間に光学フィルタを介在させる。このことにより、非検査パネルの視野角制御パネルから出射したダミーパターンを表示する光は、光学フィルタによって進路が変更され、当該光学フィルタから視野角制御パネルの正面方向へ出射される。そうして、検査員が視野角制御パネルの正面方向からダミーパターンの表示状態を検査する。
【００１９】
上記検査装置によって表示装置を検査する場合には、互いに積層された表示パネルと視野角制御パネルとを有する非検査パネルをステージに配置する。次に、ステージ上の非検査パネルにおける視野角制御パネルと、その正面方向の検査員との間に、光学フィルタを介在させる。そうして、制御回路により非検査パネルに検査信号を供給して、その非検査パネルを点灯させる。このとき、光学フィルタは、ステージ上の視野角制御パネルからダミーパターンが視認される角度に出射した光が入射され、該光を視野角制御パネルの正面方向に出射させる。したがって、検査員は、視野角制御パネルの正面方向からダミーパターンを視認することが可能になる。
【発明の効果】
【００２０】
本発明によれば、視野角制御パネルの正面に光学フィルタを設けるようにしたので、視野角制御パネルから正面の所定の視野角の外側に出射されるダミーパターンの光の進路を、当該光学フィルタにより視野角制御パネルの正面方向に変化させることができる。したがって、ダミーパターンを正確且つ容易に検査できることとなる。
【発明を実施するための最良の形態】
【００２１】
以下、本発明の実施形態を図面に基づいて詳細に説明する。本実施形態では、表示装置の一例として、液晶表示装置について説明する。尚、本発明は、以下の実施形態に限定されるものではない。
【００２２】
《発明の実施形態１》
図１〜図４は、本発明の実施形態１を示している。
【００２３】
図１は、本実施形態の検査装置の外観を示す概略斜視図である。図２は、検査時におけるダミーパターンの光の進路を示す側面図である。図３は、光学フィルタの一部を拡大して示す断面図である。図４は、液晶表示装置の構造を示す断面図である。
【００２４】
まず、液晶表示装置１について、図４を参照して説明する。
【００２５】
液晶表示装置１は、表示パネルとしての液晶表示パネル１１と、液晶表示パネル１１に積層された視野角制御パネル１２と、液晶表示パネル１１の上記視野角制御パネル１２と反対側に配置された照明装置としてのバックライトユニット１３とを備えている。
【００２６】
そして、液晶表示装置１は、視野角制御パネル１２の正面方向に所定の視野角（主視野角とも称する）で液晶表示パネル１１の表示画像が視認される一方、上記所定の視野角の外側（言い換えれば、主視野角以外の方向）において視野角制御パネル１２のダミーパターンが視認されるように構成されている。
【００２７】
すなわち、本実施形態の視野角制御パネル１２は、例えばパッシブ型の液晶表示素子により構成され、図４で方向Ｘを含む主視野角方向において、液晶表示パネル１１により表示される真の表示画像が視認される一方、図４で方向Ｙを含む主視野角以外の方向において、ダミーパターンが視認されるように、外部からの電気信号により透過率や色が変化する領域を有している。
【００２８】
上記視野角制御パネル１２は、図４に示すように、第１透明基板２１と、第１透明基板２１に対向すると共に第１透明基板２１の液晶表示パネル１１側に配置された第２透明基板２２とを有している。第１透明基板２１及び第２透明基板２２の内側表面には、図示省略の第１電極及び第２電極がそれぞれ形成されると共に、図示省略のダミー表示用のパターンが形成されている。
【００２９】
上記第１電極及び第２電極は、視野角制御パネル１２の正面方向から見て、互いに交差するように形成されている。また、ダミー表示用のパターンとしては、例えば、連続して配列された任意の文字や、同じ模様を連続させて配列させたパターンなどを例示することができる。
【００３０】
上記第１電極及び第２電極は、それぞれ各電極間に印加される電圧に応じて液晶分子の配向を制御する配向膜（図示省略）が形成されている。そして、第１透明基板２１及び第２透明基板２２は、各配向膜が対向するように配置され、その間に液晶層１７が枠状のシール材（図示省略）によって封入されている。
【００３１】
上記第１透明基板２１及び第２透明基板２２は、それぞれ透光性の材料である例えばガラスや合成樹脂等によって形成することができる。また、上記第１電極及び第２電極は、透光性の導電膜である例えばＩＴＯ等によって形成することができる。また、前記視野角制御パネル１２の両面側には、それぞれ偏光板１８が配設されている。
【００３２】
なお、視野角制御パネル１２は、バックライトユニット１３と液晶表示パネル１１との間に配設することも可能である。
【００３３】
液晶表示パネル１１は、例えばアクティブマトリクス型の液晶表示素子により構成されている。すなわち、ＴＦＴ基板３１と、ＴＦＴ基板３１に対向して配置された対向基板３２と、対向基板３２及びＴＦＴ基板３１の間に設けられた液晶層３３とを備えている。また、液晶表示パネル１１の両面側には偏光板１９がそれぞれ設けられている。
【００３４】
上記対向基板３２には、図示省略のカラーフィルタ、共通電極及びブラックマトリクス等が形成されている。一方、ＴＦＴ基板３１には、複数の画素（図示省略）がマトリクス状に配置されている。各画素には、スイッチング素子としてのＴＦＴ（図示省略）と、このＴＦＴに接続された画素電極（図示省略）とがそれぞれ設けられている。そうして、各画素毎に液晶層３３を駆動することによって所望の表示を行うようになっている。
【００３５】
次に、上記液晶表示装置１の検査装置Ｓについて、図１を参照して説明する。
【００３６】
検査装置Ｓは、図１に示すように、ステージ４０を有する装置本体４１と、装置本体４１に接続された制御回路４２と、装置本体４１に回動可能に取り付けられると共に複数の光学フィルタ４４を有するカバー部４３とを備えている。
【００３７】
ステージ４０は、傾斜面により構成され、互いに積層された液晶表示パネル１１と視野角制御パネルと、バックライトユニット１３とを有する非検査パネル１５が配置されるようになっている。図１では、例えば３つの非検査パネル１５が、所定の間隔でステージ４０上に配置された例を示している。また、非検査パネル１５は、バックライトユニット１３がステージ４０の表面側を向くと共に、視野角制御パネル１２が正面方向を向くように配置される。
【００３８】
制御回路４２は、ステージ４０に配置された非検査パネル１５に検査信号を供給して、非検査パネル１５を点灯させるように構成されている。このとき、非検査パネル１５は、液晶表示パネル１１による所定の表示画像と、視野角制御パネル１２によるダミーパターンとが表示される。
【００３９】
カバー部４３は、ステージ４０の端部において装置本体４１にヒンジ部４６を介して取り付けられている。そうして、ステージ４０を覆うように閉じた閉位置と、ステージ４０から離隔して開いた開位置と間で、ヒンジ部を軸として回動するように構成されている。
【００４０】
また、カバー部４３は、閉位置へ回動した状態で、ステージ４０上の非検査パネル１５に対向する領域に光学フィルタ４４が設けられており、この光学フィルタ４４を通って光が透過するように構成されている。すなわち、光学フィルタ４４は、ステージ４０に配置された非検査パネル１５と、この非検査パネル１５における視野角制御パネル１２の正面方向に配置された検査員との間に介在されている。
【００４１】
光学フィルタ４４は、図２及び図３に示すように、複数のプリズム部４５を有するシート状に形成されている。光学フィルタ４４は、例えば、アクリル樹脂等の樹脂によって形成することが可能である。プリズム部４５は、断面三角形状の凸条によって形成されている。図３に示すように、例えば、プリズム部４５の断面は、頂角Ａが９０°であり、他の２つの角度Ｂが４５°である二等辺三角形状に形成されている。角度Ｂは、視野角制御パネル１２の表面に対するダミーパターンの光の出射角度（言い換えれば、視野角制御パネル１２の表面に対し、ダミーパターンが視認される角度）に規定されている。
【００４２】
そうして、光学フィルタ４４は、ステージ４０上の視野角制御パネル１２からダミーパターンが視認される角度（例えば、視野角制御パネル１２の表面に対して４５°の角度）に出射した光が入射され、その光を視野角制御パネル１２の正面方向に出射させるように構成されている。
【００４３】
−検査方法−
次に、上記液晶表示装置１の検査方法について説明する。
【００４４】
まず、予め液晶表示パネル１１、視野角制御パネル１２、及びバックライトユニット１３をそれぞれ形成しておく。そして、第１工程において、これら液晶表示パネル１１、視野角制御パネル１２、及びバックライトユニット１３を互いに積層して、非検査パネル１５を形成する。
【００４５】
次に、第２工程では、非検査パネル１５の表示状態（つまり、液晶表示パネル１１による表示状態、及び視野角制御パネル１２によるダミーパターンの表示状態）が正常であるか否かを検査する。
【００４６】
すなわち、まず、検査装置Ｓのステージ４０に非検査パネル１５を配置して、装置本体４１に接続する。続いて、カバー部４３を開位置から閉位置へ回動させて、光学フィルタ４４を非検査パネル１５に対向配置させる。言い換えれば、光学フィルタ４４を、非検査パネル１５の視野角制御パネル１２と、その正面方向に配置されている検査員との間に介在させる。
【００４７】
その後、制御回路４２から検査信号を非検査パネル１５へ供給することによって、この非検査パネル１５を点灯させる。そうすると、視野角制御パネル１２から例えば４５°斜め方向に出射したダミーパターンを表示する光は、光学フィルタ４４に入射して視野角制御パネル１２の正面方向の検査員に向かって出射する。このことにより、視野角制御パネル１２の正面方向からダミーパターンの表示状態を検査する。
【００４８】
次に、第３工程において、正常な表示状態が確認された検査済みの非検査パネル１５から、上記液晶表示装置１を製造する。
【００４９】
−実施形態１の効果−
したがって、この実施形態１によると、視野角制御パネル１２の正面に光学フィルタ４４を設けて、視野角制御パネル１２からその正面方向の所定視野角の外側（主視野角以外の方向）に出射されるダミーパターンの光の進路を、視野角制御パネル１２の正面方向（主視野角の方向）に変化させるようにしたので、ステージ４０の正面方向から検査員が正確且つ容易にダミーパターンの表示状態を検査することができる。
【００５０】
すなわち、本実施形態によれば、ダミーパターンを視認できる角度（例えば視野角制御パネル１２の表面に対して４５°の角度）に、検査員の目を正確に位置付けたり、視野角制御パネル１２表面のステージ４０に対する角度を４５°に正確に固定する必要がなくなる。
【００５１】
さらに、光学シートを検査員と視野角制御パネル１２との間に介在させるだけであるため、検査装置Ｓの構成を簡単にすることが可能になる。
【００５２】
《その他の実施形態》
上記実施形態では、表示パネルが液晶表示素子である液晶表示装置について説明したが、本発明はこれに限らず、例えば、表示パネルが有機ＥＬ表示パネルである有機ＥＬ表示装置等の他の表示装置についても、同様に適用することができる。
【００５３】
また、視野角制御パネル１２を液晶表示素子により形成したが、本発明はこれに限らず、他の表示素子によって視野角制御パネル１２を構成してもよい。また、光学フィルタ４４は、断面三角形状のプリズム部以外の構成によって、ダミーパターンの光の進路を変更する構成としてもよい。
【産業上の利用可能性】
【００５４】
以上説明したように、本発明は、視野角制御パネルを有する表示装置の製造方法、及びその表示装置の検査装置について有用である。
【図面の簡単な説明】
【００５５】
【図１】図１は、本実施形態の検査装置の外観を示す概略斜視図である。
【図２】図２は、検査時におけるダミーパターンの光の進路を示す側面図である。
【図３】図３は、光学フィルタの一部を拡大して示す断面図である。
【図４】図４は、液晶表示装置の構造を示す断面図である。
【図５】図５は、従来の表示装置のダミーパターンを検査する工程を説明する側面図である。
【図６】図５は、従来の表示装置のダミーパターンを検査する工程を説明する側面図である。
【符号の説明】
【００５６】
Ｓ      検査装置
１      液晶表示装置
１１      液晶表示パネル
１２      視野角制御パネル
１５      非検査パネル
４０      ステージ
４２      制御回路
４４      光学フィルタ    
【図１】
2010101969.tif 000003
【図２】
2010101969.tif 000004
【図３】
2010101969.tif 000005
【図４】
2010101969.tif 000006
【図５】
2010101969.tif 000007
【図６】
2010101969.tif 000008